(57)【要約】【課題】スイング時のパターヘッドの軌道を認識しやすく、正しいスイングをすることができるパターヘッド及びパタークラブを提供する。【解決手段】打撃面１５を備えるヘッド本体部１０と、前記ヘッド本体部１０の打撃面方向の後方に配置された残像部２０と、を備え、前記残像部２０は、平面視において前記ヘッド本体部１０の輪郭形状の少なくとも一部と同一形状に視認される部分を含むように形成され、前記残像部２０は、前記ヘッド本体部１０との間の少なくとも一部に隙間Ｃを存するように視認されるように配置されている。【選択図】図２
2010284434.tif 000002
【特許請求の範囲】
【請求項１】
打撃面を備えるヘッド本体部と、前記ヘッド本体部の打撃面方向の後方に配置された残像部と、を備え、
前記残像部は、平面視において前記ヘッド本体部の輪郭形状の少なくとも一部と同一形状に視認される部分を含むように形成され、
前記残像部は、前記ヘッド本体部との間の少なくとも一部に隙間を存するように視認されるように配置されていることを特徴とするパターヘッド。
【請求項２】
前記残像部は、前記ヘッド本体部の後方側の平面視における輪郭線が同一形状である部分が形成されていることを特徴とする請求項１に記載のパターヘッド。
【請求項３】
前記残像部は、全幅にわたって、前記ヘッド本体部と同一形状である部分が形成されていることを特徴とする請求項１又は２に記載のパターヘッド。
【請求項４】
前記残像部は、少なくとも一部が前記ヘッド本体部と重なって視認されるように配置されていることを特徴とする請求項１〜３のいずれかに記載のパターヘッド。
【請求項５】
前記残像部は、少なくとも一部が前記ヘッド本体部の下側に重なって視認されるように配置されていることを特徴とする請求項４に記載のパターヘッド。
【請求項６】
前記隙間は、実在することを特徴とする請求項１〜５のいずれかに記載のパターヘッド。
【請求項７】
前記残像部は、その幅方向の一部に、後方に向かって延びる突出部が形成されていることを特徴とする請求項１〜６のいずれかに記載のパターヘッド。
【請求項８】
前記ヘッド本体部は、その幅方向の一部に、後方に向かって延びる突出部が形成され、この突出部と、前記残像部の前記突出部とが同一形状である部分が形成されていることを特徴とする請求項７に記載のパターヘッド。
【請求項９】
前記残像部は、少なくともその上面が前記ヘッド本体部と異なった色であることを特徴とする請求項１〜８のいずれかに記載のパターヘッド。
【請求項１０】
前記ヘッド本体部は、目印ライン部を備えていることを特徴とする請求項１〜９のいずれかに記載のパターヘッド。
【請求項１１】
前記ヘッド本体部には、シャフト孔が取り付けられていることを特徴とする請求項１〜１０のいずれかに記載のパターヘッド。
【請求項１２】
請求項１〜１１のいずれか１項に記載のパターヘッドを備えているパタークラブ。
【発明の詳細な説明】
【技術分野】
【０００１】
本発明は、ゴルフ用のパターヘッド及びパタークラブに関する。
【背景技術】
【０００２】
従来、ゴルフ用のパターヘッド及びパタークラブとして、スイングの軌道を確認するため、パターヘッドにＬＥＤランプを装着して、視覚的な残像効果を得るものが知られている（特許文献１参照）。
【先行技術文献】
【特許文献】
【０００３】
【特許文献１】特開平１０−３３７３４５号公報
【発明の概要】
【発明が解決しようとする課題】
【０００４】
しかしながら、このようなパターヘッドは、ＬＥＤランプの電力として電池等を備える必要があり、パターヘッドの構造が複雑になる上、長時間使用すれば電池交換が必要になるという問題があった。
【０００５】
本発明は、上述した事情に鑑みてなされたもので、その目的は、スイング時のパターヘッドの軌道を認識しやすく、正しいスイングをすることができるパターヘッド及びパタークラブを提供することにある。
【課題を解決するための手段】
【０００６】
本発明は以下の手段を提供する。
【０００７】
［１］打撃面を備えるヘッド本体部と、前記ヘッド本体部の打撃面方向の後方に配置された残像部と、を備え、前記残像部は、平面視において前記ヘッド本体部の輪郭形状の少なくとも一部と同一形状に視認される部分を含むように形成され、前記残像部は、前記ヘッド本体部との間の少なくとも一部に隙間を存するように視認されるように配置されていることを特徴とするパターヘッド。
【０００８】
［２］前記残像部は、前記ヘッド本体部の後方側の平面視における輪郭線が同一形状である部分が形成されていることを特徴とする前項１に記載のパターヘッド。
【０００９】
［３］前記残像部は、全幅にわたって、前記ヘッド本体部と同一形状である部分が形成されていることを特徴とする前項１又は２に記載のパターヘッド。
【００１０】
［４］前記残像部は、少なくとも一部が前記ヘッド本体部と重なって視認されるように配置されていることを特徴とする前項１〜３のいずれかに記載のパターヘッド。
【００１１】
［５］前記残像部は、少なくとも一部が前記ヘッド本体部の下側に重なって視認されるように配置されていることを特徴とする前項４に記載のパターヘッド。
【００１２】
［６］前記隙間は、実在することを特徴とする前項１〜５のいずれかに記載のパターヘッド。
【００１３】
［７］前記残像部は、その幅方向の一部に、後方に向かって延びる突出部が形成されていることを特徴とする前項１〜６のいずれかに記載のパターヘッド。
【００１４】
［８］前記ヘッド本体部は、その幅方向の一部に、後方に向かって延びる突出部が形成され、この突出部と、前記残像部の前記突出部とが同一形状である部分が形成されていることを特徴とする前項７に記載のパターヘッド。
【００１５】
［９］前記残像部は、少なくともその上面が前記ヘッド本体部と異なった色であることを特徴とする前項１〜８のいずれかに記載のパターヘッド。
【００１６】
［１０］前記ヘッド本体部は、目印ライン部を備えていることを特徴とする前項１〜９のいずれかに記載のパターヘッド。
【００１７】
［１１］前記ヘッド本体部には、シャフト孔が取り付けられていることを特徴とする前項１〜１０のいずれかに記載のパターヘッド。
【００１８】
［１２］前項１〜１１のいずれか１項に記載のパターヘッドを備えているパタークラブ。
【発明の効果】
【００１９】
本発明は以下の効果を奏する。
【００２０】
前項［１］の発明によると、打撃面を備えるヘッド本体部と、前記ヘッド本体部の打撃面方向の後方に配置された残像部と、を備え、前記残像部を平面視において前記ヘッド本体部の輪郭形状の少なくとも一部と同一形状に視認される部分を含むように形成し、前記残像部を前記ヘッド本体部との間の少なくとも一部に隙間を存するように視認されるように配置したため、スイング時において残像部をヘッド本体部の残像のように視認させることにより、スイング時のパターヘッドの軌道を認識しやすく、正しいスイングをすることができる。
【００２１】
前項［２］の発明によると、前記残像部に前記ヘッド本体部の後方側の平面視における輪郭線が同一形状である部分を形成したため、残像部をより前記ヘッド本体部と擬似的に視認させることができ、残像感をより増強させることができる。
【００２２】
前項［３］の発明によると、前記残像部に全幅にわたって、前記ヘッド本体部と同一形状である部分を形成したため、残像部をさらに前記ヘッド本体部と擬似的に視認させることができ、残像感をより確実に増強させることができる。
【００２３】
前項［４］の発明によると、前記残像部を少なくとも一部が前記ヘッド本体部と重なって視認されるように配置したため、残像部をヘッド本体に関連するものとして認識させ、より残像感を増強させることができる。
【００２４】
前項［５］の発明によると、前記残像部を少なくとも一部が前記ヘッド本体部の下側に重なって視認されるように配置したため、残像部をヘッド本体部に従属するものとして認識させ、さらに残像感を増強させることができる。
【００２５】
前項［６］の発明によると、前記隙間が実在しているため、残像部とヘッド本体部とを分離して視認しやすくなり、確実に残像感を得ることができる。
【００２６】
前項［７］の発明によると、前記残像部には、その幅方向の一部に、後方に向かって延びる突出部を形成したため、スイング時における残像部が流れるように視認されることにより、より残像感を増強させることができる。
【００２７】
前項［８］の発明によると、前記ヘッド本体部には、その幅方向の一部に、後方に向かって延びる突出部が形成され、この突出部と、前記残像部の前記突出部とが同一形状である部分を形成したため、スイング時におけるヘッド本体部と残像部とが流れるよう視認されることにより、さらに残像感を増強させることができる。
【００２８】
前項［９］の発明によると、前記残像部を少なくともその上面を前記ヘッド本体部と異なった色にしたため、ヘッド本体部と残像部とを分離して認識しやすくなり、より確実に残像感を増強させることができる。
【００２９】
前項［１０］の発明によると、前記ヘッド本体部は、目印ライン部を備えたため、ゴルフボールを打撃面に正確に当てることができる。
【００３０】
前項［１１］の発明によると、前記ヘッド本体部に、シャフト孔を取り付けたため、シャフトを容易に取り付けることができる。
【００３１】
前項［１２］の発明によると、前項１〜１１のいずれか１項に記載のパターヘッドを備えているパタークラブとしたため、このパタークラブについて上述したパターヘッドの効果を奏することができる。
【図面の簡単な説明】
【００３２】
【図１】図１は、本発明の第１実施形態にかかるパタークラブの斜視図である。
【図２】図２は、本発明の第１実施形態にかかるパターヘッドの平面図である。
【図３】図３は、同パターヘッドの斜視図である。
【図４】図４は、同パターヘッドの底面図である。
【図５】図５は、同パターヘッドを分解して示す斜視図である。
【図６】図６は、同パターヘッドのＸ−Ｘ断面図である。
【図７】図７は、同パターヘッドのＹ−Ｙ断面図である。
【図８】図８は、本発明の第２実施形態にかかるパターヘッドの平面図である。
【図９】図９は、同パターヘッドの斜視図である。
【発明を実施するための形態】
【００３３】
次に、本発明の第１実施形態について、図１〜図７を参照して以下に説明する。
【００３４】
図１は、本発明の第１実施形態にかかるパタークラブの斜視図である。図２は、本発明の第１実施形態にかかるパターヘッドの平面図である。図３は、同パターヘッドの斜視図である。図４は、同パターヘッドの底面図である。
【００３５】
図１に示すように、この第１実施形態にかかるパタークラブＰは、シャフト４の上方にグリップ５が取り付けられ、シャフト４の下方にパターヘッド１が取り付けられて、構成されている。
【００３６】
図２〜図４に示すように、本発明のパターヘッド１は、ヘッド本体部１０と、残像部２０と、を備えている。
【００３７】
ヘッド本体部１０は、前方部１１と、後方部１２，１２と、突出部１２ａと、目印ライン部１３と、シャフト孔１４と、打撃面１５と、底面部１７と、から構成されている。
【００３８】
ヘッド本体部１０の前方には、前方部１１が形成されている。ヘッド本体部１０の後方のヒール側及びトウ側には、それぞれ後方部１２，１２が形成されている。この後方部１２，１２は、前方部１１と段違いに形成されている。ヘッド本体部１０の下方には、底面部１７が形成されている。ヘッド本体部１０の後方部１２，１２の中間には、打撃面側から後方に向かって延びる突出部１２ａが形成されている。ヘッド本体部１０には、ブラックニッケル仕上げ（ブラックニッケルメッキ）が施されている。
【００３９】
ヘッド本体部１０の前方部１１の正面には、打撃面１５が形成されている。ヘッド本体部１０の前方部１１には、目印ライン部１３が形成されている。この目印ライン部１３は、ヘッド本体部１０の中間に位置し、ヘッド本体部１０の表面を凹状に掘り込んで形成されている。この目印ライン部１３は、幅１．８０ｍｍに設定されている。ヘッド本体部１０の前方部１１には、シャフト孔１４が形成されている。
【００４０】
残像部２０は、後方部２２，２２と、突出部２２ａと、から構成されている。後方部２２，２２は、残像部２０のヒール側及びトウ側にそれぞれ形成されている。突出部２２ａは、残像部２０の後方部２２，２２の中間に形成されている。この突出部２２ａは、打撃面側から後方に向かって延びるように形成されている。この残像部２０は、ヘッド本体部１０の形状の一部を有するように形成されている。残像部２０は、ヘアライン加工が施されている。
【００４１】
ヘッド本体部１０の突出部１２ａと残像部２０の突出部２２ａは、それぞれ段違いに形成されている。残像部２０の突出部２２ａの深さは、ヘッド本体部１０の突出部１２ａから例えば０〜１．５ｍｍ設定されていても良く、この実施形態では、０．３ｍｍに設定されている。
【００４２】
ヘッド本体部１０の突出部１２ａから残像部２０の突出部２２ａわたって、サイトライン部２５，２５が形成されている。このサイトライン部２５，２５は、打撃面から後方に向って延びるように形成されている。サイトライン部２５，２５の深さは、ヘッド本体部１０の突出部１２ａから例えば０．２５〜０．５ｍｍ設定されていても良く、この実施形態では、０．５ｍｍに設定されている。サイトライン部２５，２５の幅は、例えば１．２〜２ｍｍに設定されていても良く、この実施形態では、１．８０ｍｍに設定されている。サイトライン部２５から隣り合うサイトライン部２５までの間の距離は、例えば４３〜４７ｍｍに設定されていても良く、この実施形態では、一方のサイトライン部２５の外側（ヒール及びトウ側方向）の線から、他方のサイトライン部２５の外側（ヒール及びトウ側方向）の線までの間の距離は、４５．２ｍｍに設定されている。また、一方のサイトライン部２５の内側の線から、他方のサイトライン部２５の内側の線までの間の距離は、４３．４ｍｍに設定されている。サイトライン部２５，２５は、白色に着色されている。
【００４３】
パターヘッド１は、ヘッド本体部１０と、残像部２０との間に、隙間Ｃ，Ｃを有するように形成されている。パターヘッド１は、ヘッド本体部１０の突出部１２ａと、残像部２０の突出部２２ａとの間にも隙間Ｃを有している。この突出部１２ａと突出部２２ａとの間に有する隙間Ｃは、平面視半円形状に形成されている。パターヘッド１は、ヘッド本体部１０の後方部１２，１２と、残像部２０の後方部２２，２２との間にそれぞれ隙間Ｃ，Ｃを有している。
【００４４】
次に、パターヘッドの組立工程について説明する。
【００４５】
図５は、同パターヘッドを分解して示す斜視図である。図６は、同パターヘッドのＸ−Ｘ断面図である。図７は、同パターヘッドのＹ−Ｙ断面図である。
【００４６】
図５〜図７に示すように、本発明のパターヘッド１は、第一部材１ａと、第二部材１ｂとの主に２つの部材から構成されている。パターヘッド１は、この第一部材１ａと第二部材１ｂを固定して組み立てられている。
【００４７】
この第一部材１ａは、前方部１１と、後方部１２，１２と、目印ライン部１３と、シャフト孔１４と、打撃面１５と、底面部１７と、を有する部材である。この第二部材１ｂは、突出部１２ａと、後方部と２２，２２と、突出部２２ａと、サイトライン部２５，２５と、を有する部材である。
【００４８】
第一部材１ａの打撃面１５には、打撃面窪み部１６が形成されている。この打撃面窪み部１６には、貫通孔１６ａが穿設されている。この第二部材１ｂの打撃面側には、その貫通孔１６ａと対応する固定孔２３ａが形成さている。第一部材１ａと第二部材１ｂは、貫通孔１６ａと固定孔２３ａとをねじ１８で固定される。その後、ねじ１８で固定されている第一部材１ａの打撃面窪み部１６には、打撃面部材３が接着剤で取り付けられ、パターヘッド１は組み立てられている。
【００４９】
第一部材１ａは、例えば、真鍮、チタン、チタン合金、アルミニウム、アルミニウム合金、等で形成されている。この実施形態ではステンレス鋼で形成されている。この第一部材１ａは、例えば、２５０〜３２０ｇでも良い。この実施形態では、２９５ｇに設定されている。
【００５０】
第二部材１ｂは、例えば、真鍮、チタン、チタン合金、アルミニウム、アルミニウム合金、等で形成されている。この実施形態ではアルミニウムで形成されている。この第二部材１ｂは、例えば、２０〜９０ｇに設定されていても良い。この実施形態では、３６ｇに設定されている。
【００５１】
打撃面部材３は、例えば、樹脂、ウレタン、ラバー等でも良い。この実施形態では、アルミニウムである。この打撃面部材３は、例えば、５〜１５ｇに設定されていても良い。この実施形態では、７ｇに設定されている。組み立て後におけるパターヘッド１の重さは、例えば、３２０〜３６０ｇに設定されていても良い。この実施形態では、３３８ｇに設定されている。
【００５２】
本実施形態のパターヘッド１は、次の利点がある。
【００５３】
すなわち、パターヘッド１は、ヘッド本体部１０と残像部２０とを備え、ヘッド本体部１０を、前方部１１と後方部１２，１２と突出部１２ａと目印ライン部１３とシャフト孔１４と打撃面１５と底面部１７とから構成し、残像部２０を、後方部２２，２２と突出部２２ａとから構成したため、スイング時における残像部２０がヘッド本体部１０の残像のように視認されることにより、スイング時のパターヘッドの軌道を認識しやすく、正しいスイングをすることができる。
【００５４】
さらに、ヘッド本体部１０の後方部１２，１２の中間に、打撃面側から後方に向かって延びる突出部１２ａを形成したため、スイング時における残像部２０がスイング方向に流れるよう視認されることにより、より残像感を増強させることができる。
【００５５】
さらに、ヘッド本体部１０にブラックニッケル仕上げ（ブラックニッケルメッキ）を施し、残像部２０にヘアライン加工を施したため、残像部２０をヘッド本体部１０より目立たなくすることにより、より確実に残像感を増強させることができ、流れるように視認させることができる。
【００５６】
さらに、残像部２０のヒール側及びトウ側にそれぞれ後方部２２，２２を形成し、残像部２０の後方部２２，２２の中間に、打撃面側の後方に向かって延びる突出部２２ａを形成したため、スイング時における残像部２０が流れるよう視認されることにより、より残像感を増強させることができる。
【００５７】
さらに、残像部２０をヘッド本体部１０の形状の一部を有するように形成したため、より前記ヘッド本体部１０と擬似的に視認されることにより、残像感をより増強させることができる。
【００５８】
さらに、残像部２０の突出部２２ａの深さを、ヘッド本体部１０の突出部１２ａから０．３ｍｍに設定したため、残像部２０を、その一部がヘッド本体部１０の下側に重なって視認させることにより、残像部２０をヘッド本体部１０に従属するものとして認識させることができ、ひいては、より残像感を増強させることができる。
【００５９】
さらに、目印ライン部１３を形成し、ヘッド本体部１０の突出部１２ａから残像部２０の突出部２２ａにわたって、サイトライン部２５，２５を形成し、サイトライン部２５，２５の幅を、１．８０ｍｍに設定し、サイトライン部２５から隣り合うサイトライン部２５までの間の距離について、一方のサイトライン部２５の外側（ヒール及びトウ側方向）の線から、他方のサイトライン部２５の外側（ヒール及びトウ側方向）の線までの間の距離を、４５．２ｍｍに設定し、一方のサイトライン部２５の内側の線から、他方のサイトライン部２５の内側の線までの間の距離を、４３．４ｍｍに設定したため、ゴルフボールの直径（約４３ｍｍ）と略同じ距離に設定したことにより、ゴルファーがゴルフボールを打撃面部材３に正確に当てることができる。
【００６０】
さらに、パターヘッド１は、ヘッド本体部１０の突出部１２ａと、残像部２０の突出部２２ａとの間と、ヘッド本体部１０の後方部１２，１２と、残像部２０の後方部２２，２２との間に、隙間Ｃ・・・を有したため、残像部２０とヘッド本体部１０とを分離して視認しやすくなり、確実に残像感を得ることができる。
【００６１】
さらに、本発明のパターヘッド１を、第一部材１ａと第二部材１ｂとの主に２つの部材から構成したため、組立作業を簡単にでき、パターヘッド１の製造コストを削減することができる。
【００６２】
さらに、第一部材１ａをステンレス鋼で形成したため、強度性、耐食性に優れたパターヘッド１を提供することができる。
【００６３】
さらに、第二部材１ｂをアルミニウムで形成したため、パターヘッド１を軽量化することができる上、切削性に優れていることにより、第二部材１ｂを容易に形成することができる。
【００６４】
さらに、パタークラブＰをパターヘッド１と、シャフト４と、グリップ５と、から構成したため、このパタークラブＰについて上述したパターヘッド１の効果を奏することができる。
【００６５】
次に、本発明の第２実施形態について、図８、図９を参照して以下に説明する。
【００６６】
図８は、本発明の第２実施形態にかかるパターヘッドの平面図である。図９は、同パターヘッドの斜視図である。
【００６７】
図８、図９に示すように、この第２実施形態にかかるパターヘッド６は、凹部２４ａと、凹部２４ｂとが形成されている。凹部２４ａ・・・は、残像部２０の後方部２２，２２に形成されている。凹部２４ｂ・・・は、残像部２０の突出部２２ａに形成されている。
【００６８】
凹部２４ａ・・・の幅は、例えば１．２〜３ｍｍに設定されていても良く、この実施形態では、２ｍｍに設定されている。凹部２４ｂ・・・の幅は、突出部２２ａから例えば１．２〜３ｍｍに設定されていても良く、この実施形態では、２．１４ｍｍに設定されている。凹部２４ａ・・・と、凹部２４ｂ・・・との深さは、例えば０．２５〜０．５ｍｍに設定されていても良く、この実施形態では、０．３５ｍｍに設定されている。凹部２４ａ・・・と隣り合う凹部２４ａ・・・との間隔は、例えば１．７〜３ｍｍに設定されていても良く、この実施形態では、２．１４ｍｍに設定されている。凹部２４ｂ・・・と隣り合う凹部２４ｂ・・・との間隔は、例えば１．７〜３ｍｍに設定されていても良く、この実施形態では、２．１４ｍｍに設定されている。これ以外の部分は、第１実施形態と同様である。
【００６９】
本第２実施形態のパターヘッド６は、次の利点がある。
【００７０】
すなわち、パターヘッド６に凹部２４ａと凹部２４ｂとを形成したため、ヘッド本体部１０と残像部２０とを分離して認識しやすくなり、より残像感を増強させることができる。また、このように形成したため、スイング時における残像部が流れるよう視認されることにより、さらに残像感を増強させることができる。
【００７１】
以上、本発明を第１，２実施形態に基づいて説明してきたが、本発明は、これに限定されるものではなく、以下のように構成しても良い。
【００７２】
（１）上記第１実施形態では、ヘッド本体部１０の後方部１２，１２の中間に、打撃面側から後方に向かって延びる突出部１２ａを形成し、残像部２０の後方部２２，２２の中間に、打撃面側の後方に向かって延びる突出部２２ａを形成したが、本発明はこれに限定されるものではなく、必ずしも突出部１２ａを形成しなくとも良い。
【００７３】
（２）上記第１実施形態では、突出部１２ａにヘアライン加工を施したが、本発明はこれに限定されるものではなく、例えば、着色でライン等を施しても良い。また、必ずしもこのような加工をしなくとも良い。
【００７４】
（３）上記第１実施形態では、残像部２０のヒール側及びトウ側に、それぞれ後方部２２，２２を形成したが、本発明はこれに限定されるものではなく、必ずしも後方部２２，２２を形成しなくとも良い。
【００７５】
（４）上記第１実施形態では、残像部２０にヘアライン加工を施したが、本発明はこれに限定されるものではなく、残像感を増強させるため、残像部２０はヘッド本体部１０と異なる色であればよく、例えば、残像部２０を、黒、灰色、緑等の暗めの色に着色して残像感を増強しても良く、さらには、着色しなくとも、アルマイト加工によって異なる色にしても良い。
【００７６】
また、ヘッド本体部１０と残像部２０とを同色に着色し、その一方の色の明度及び／又は彩度を異にすることで、トーンのみが異なるようにしても良い。
【００７７】
また、残像部２０にヘアライン加工等を施すことによって、残像部２０に残像感がでるため、残像部２０とヘッド本体部１０とを同色に着色しても良い。
【００７８】
また、残像部２０は、少なくともその上面のみがヘッド本体部１０と異なった色としても良い。
【００７９】
（５）上記第１実施形態では、サイトライン部２５，２５を白色に着色したが、本発明はこれに限定されるものではなく、例えば、シルバー、グレー、赤等に着色しても良い。
【００８０】
（６）上記第１実施形態では、パターヘッド１は、ヘッド本体部１０の突出部１２ａと、残像部２０の突出部２２ａとの間と、ヘッド本体部１０の後方部１２，１２と、残像部２０の後方部２２，２２との間にいずれにも隙間Ｃ・・・を有しているが、本発明はこれに限定されるものではなく、隙間が存するように視認されれば良く、例えば、地面や、グリーン上の芝生の模様等を描いて隙間が存するように形成されていれば良く、必ずしも隙間が実在しなくとも良い。
【００８１】
（７）上記第１実施形態では、隙間Ｃを平面視半円形状に形成したが、本発明はこれに限定されるものではなく、隙間を視認できればよく、任意の形状に形成しても良い。
【００８２】
（８）上記第１実施形態では、パターヘッド１を第一部材１ａと、第二部材１ｂとの主に２つの部材から構成したが、本発明はこれに限定されるものではなく、パターヘッド１は、ヘッド本体部１０と、残像部２０を備えていれば良く、必ずしも第一部材１ａと第二部材１ｂとから構成する必要はなく、例えば、一つの部材からヘッド本体部１０と残像部２０とを備えるパターヘッドを構成しても良く、さらには、３部材以上からヘッド本体部１０と残像部２０とを備えるパターヘッドを構成しても良い。
【００８３】
（９）上記第１実施形態では、第一部材１ａと第二部材１ｂとを、ねじ１８で固定したが、本発明はこれに限定されるものではなく、例えば、接着剤、溶接によって固定しても良い。
【００８４】
（１０）上記第２実施形態では、パターヘッド６に凹部２４ａと凹部２４ｂとを形成したが、本発明はこれに限定されるものではなく、視覚的な残像感を増強させるため、凹部２４ａと凹部２４ｂとを例えば黒色に着色しても良い。
【符号の説明】
【００８５】
１      パターヘッド
１０    ヘッド本体部
１２ａ  突出部
１４    シャフト孔
１５    打撃面
２０    残像部
２２ａ  突出部
Ｃ      隙間
Ｐ      パタークラブ
【図１】
2010284434.tif 000003
【図２】
2010284434.tif 000004
【図３】
2010284434.tif 000005
【図４】
2010284434.tif 000006
【図５】
2010284434.tif 000007
【図６】
2010284434.tif 000008
【図７】
2010284434.tif 000009
【図８】
2010284434.tif 000010
【図９】
2010284434.tif 000011